(57)【要約】【課題】シールド部材のみの交換で済み、シールド部材の着脱が容易であって、しかも取り付けたシールド部材を安定的に保持できる顔面保護具を提供する。【解決手段】頭部に装着される本体フレーム１０と、本体フレーム１０の外側に配置され、装着者の顔面の全部又は一部を保護するシールドＳを保持する保持部２２が両端側に設けられたシールドフレーム２０と、を具備し、保持部２２は、シールドフレーム２０に対向する領域に設けられ、シールドＳに形成された貫通孔が係止される係止爪と、シールドＳの貫通孔の係止時において係止爪をシールドフレーム２０側に付勢する付勢手段と、を具備する。【選択図】  図１
2015205105.tif 000002
【特許請求の範囲】
【請求項１】
頭部に装着される本体フレームと、
前記本体フレームの外側に配置され、装着者の顔面の全部又は一部を保護するシールド部材を保持する保持部が両端側に設けられたシールドフレームと、を具備し、
前記保持部は、
前記シールドフレームに対向する領域に設けられ、前記シールド部材に形成された貫通孔が係止される係止爪と、前記シールド部材の貫通孔の係止時において前記係止爪を前記シールドフレーム側に付勢する付勢手段と、を具備すること
を特徴とする顔面保護具用フレーム。
【請求項２】
前記保持部は、
前記シールドフレームの延在方向とは交差する方向に設けられた軸部材によって前記シールドフレームの外側に回動自在に支持されたクリップ部材を具備し、前記付勢手段は、前記軸部材を支点として前記クリップ部材の先端部を閉じるように付勢しており、
前記係止爪は、前記クリップ部材の前記先端部における前記シールドフレームに対向する領域に形成されていること
を特徴とする請求項１に記載の顔面保護具用フレーム。
【請求項３】
前記係止爪の前記シールドフレームに対向する面は、前記先端部に向かって高さが漸小するテーパー形状を有していること
を特徴とする請求項１又は２に記載の顔面保護具用フレーム。
【請求項４】
前記シールドフレームにおける前記保持部の前記係止爪に対向する領域に、前記係止爪が入り込む凹部が設けられていること
を特徴とする請求項１〜３の何れか一項に記載の顔面保護具用フレーム。
【請求項５】
前記クリップ部材は、前記軸部材を挟んで前記先端部とは反対側の後端部に押圧部を具備し、前記押圧部を押圧することにより、前記付勢手段による付勢力に抗しつつ前記軸部材を支点として前記クリップ部材を回動させ前記先端部を前記シールドフレームから離間可能に構成されていること
を特徴とする請求項２〜４の何れか一項に記載の顔面保護具用フレーム。
【請求項６】
前記軸部材から前記クリップ部材の前記先端部の先端までの距離（Ｌ１）より、前記軸部材から前記クリップ部材の前記後端部の後端までの距離（Ｌ２）のほうが短いこと
を特徴とする請求項２〜４の何れか一項に記載の顔面保護具用フレーム。
【請求項７】
前記シールドフレームには、前記クリップ部材を挟むように外側方向に立ち上がる壁部が形成されており、前記軸部材は、前記壁部に軸支されていること
を特徴とする請求項２〜５の何れか一項に記載の顔面保護具用フレーム。
【請求項８】
前記クリップ部材の後端部に隣接して、前記シールドフレームから前記クリップ部材の前記後端部までの高さ（Ｈ２）よりも大きい高さ（Ｈ１）を有するガード部が設けられていること
を特徴とする請求項２〜６の何れか一項に記載の顔面保護具用フレーム。
【請求項９】
前記付勢手段は、前記クリップ部材の後端部から一体的に延設された板バネ部であること
を特徴とする請求項２〜７の何れか一項に記載の顔面保護具用フレーム。
【請求項１０】
前記シールドフレームは前記本体フレームに着脱可能であること
を特徴とする請求項１〜９の何れか一項に記載の顔面保護具用フレーム。
【請求項１１】
請求項１〜１０の何れか一項に記載の顔面保護具用フレームと、
前記顔面保護具用フレームに着脱可能であり、装着者の顔面の全部又は一部を保護するシールド部材と、
を具備することを特徴とする顔面保護具。
【請求項１２】
前記シールド部材の左右両端側のそれぞれに貫通孔と切り欠きとが設けられており、前記シールド部材を前記顔面保護具用フレームに装着した状態において、前記顔面保護具用フレームのシールドフレームの両端側に設けられた保持部が前記切り欠きに挟み込まれ、前記保持部の先端部に設けられた係止爪によって前記貫通孔が係止されること
を特徴とする請求項１１に記載の顔面保護具。
【発明の詳細な説明】
【技術分野】
【０００１】
本発明は、顔面保護具及び顔面保護具用フレームに関し、特に、感染性飛沫や薬液等から顔面の全体又は一部を保護するための顔面保護具及び顔面保護具用フレームに関する。
【背景技術】
【０００２】
従来より、医療及び介護等の分野において、血液、分泌液、唾液、おう吐物等の感染源や水、薬液等の液体から顔面の全体又は一部を保護するための顔面保護具が知られている。例えば、使用者の眼の前方に設けられるゴーグル部（シールド部）と、シールド部を保持するための保持部と、保持部に連結され頭部に装着するための装着部と、を具備するカチューシャ式ゴーグルが知られている（例えば、特許文献１及び２参照）。
【先行技術文献】
【特許文献】
【０００３】
【特許文献１】特開２００７−０８９７４８号公報
【特許文献２】特開２００９−０３１４７３号公報
【発明の概要】
【発明が解決しようとする課題】
【０００４】
しかしながら、特許文献１のカチューシャ式ゴーグルは、シールド部が留具によって保持部に固定された構成となっており、使用後はゴーグルごと廃棄しなければならないため使い捨てによりコストや廃棄物の量が増大する、また、再使用するにしても感染性飛沫や薬液等が付着したシールド部の高度なクリーニング処理が必須となる、という問題があった。
【０００５】
また、特許文献２のカチューシャ式ゴーグルは、シールド部を交換できる構成となっているが、シールド部の装着に際して、保持部の各突起をシールドの各穴に挿入した上でその突起を更に留具によってシールドに固定するという手順を踏まなければならず、取り付けに手間がかかるため緊急時の使用に不向きである、という問題があった。また、シールド部を脱離させる際においても、留具を外しただけでは突起に保持されたシールド部を脱離させにくいため廃棄に際して感染性飛沫や薬液等が付着したシールド部を手で摘ままなければならない、という問題もあった。このような問題は、医療及び介護の分野において使用される顔面保護具に限定されず、他の分野において使用される顔面保護具においても同様に存在する。
【０００６】
本発明はこのような事情に鑑み、シールド部材のみの交換で済み、シールド部材の着脱が容易であって、しかも装着したシールド部材を安定的に保持できる顔面保護具及び顔面保護具用フレームを提供することを目的とする。
【課題を解決するための手段】
【０００７】
上記課題を解決する本発明の態様は、頭部に装着される本体フレームと、前記本体フレームの外側に配置され、装着者の顔面の全部又は一部を保護するシールド部材を保持する保持部が両端側に設けられたシールドフレームと、を具備し、前記保持部は、前記シールドフレームに対向する領域に設けられ、前記シールド部材に形成された貫通孔が係止される係止爪と、前記シールド部材の貫通孔の係止時において前記係止爪を前記シールドフレーム側に付勢する付勢手段と、を具備することを特徴とする顔面保護具用フレームにある。
【０００８】
かかる態様によれば、シールド部材の貫通孔への係止爪の係止や、その係止の解除によって、シールド部材を容易に着脱できるようになり、装着に要する手間や時間の短縮を図ることができる。また、係止の解除によってシールド部材を落下させて手で摘むことなく素早くそのまま廃棄できる。しかも、上記の係止爪によってシールド部材に形成された貫通孔を係止するので、シールドフレーム両端側の計２点であってもシールド部材を安定的に保持できる上、装着したシールド部材に歪みが生じることも防止できる。
【０００９】
ここで、前記保持部は、前記シールドフレームの延在方向とは交差する方向に設けられた軸部材によって前記シールドフレームの外側に回動自在に支持されたクリップ部材を具備し、前記付勢手段は、前記軸部材を支点として前記クリップ部材の先端部を閉じるように付勢しており、前記係止爪は、前記クリップ部材の前記先端部における前記シールドフレームに対向する領域に形成されていることを特徴とする顔面保護具用フレームにある。これによれば、クリップ部材の先端部を閉じるような付勢力に抗することで、軸部材を支点としてクリップ部材を回動させて係止爪をシールドフレームから離間させることができる、いわゆるバインダークリップ機構を実現できる。かかる機構により、シールド部材の着脱が容易になるため、装着に要する手間や時間の短縮を図ることができ、また、クリップ部材の後端部の押圧によりシールド部材を落下させて手で摘むことなく素早くそのまま廃棄できる。しかも、クリップ部材の係止爪によってシールド部材に形成された貫通孔を係止するので、シールドフレーム両端側の計２点であってもシールド部材を安定的に保持できる上、装着したシールド部材に歪みが生じることも防止できる。
【００１０】
また、前記係止爪の前記シールドフレームに対向する面は、前記先端部に向かって高さが漸小するテーパー形状を有していることが好ましい。これによれば、シールド部材の装着に際して、例えば、クリップ部材の先端部の係止爪とシールドフレームとの間にシールド部材を滑り込ませ、クリップ部材を閉じるような付勢力に抗してシールド部材を挟み込むことができる。つまり、クリップ部材の後端部に押圧力を付与することなく、係止爪とシールドフレームとの間にシールド部材を挟み込むことができる。そして、挟み込んだシールド部材を適宜移動させて貫通孔と係止爪との位置を合わせることで、クリップ部材を閉じるような付勢力を利用して自動的に貫通孔を係止できる。また、係止爪のシールド部材を係止する係止面の高さが確保される分、不測の外力によってシールド部材が脱離しにくくもなる。
【００１１】
また、前記シールドフレームにおける前記保持部の前記係止爪に対向する領域に、前記係止爪が入り込む凹部が設けられていることが好ましい。これによれば、例えば、シールド部材を装着したとき、先端部を閉じるように付勢されたクリップ部材の係止爪が、シールド部材の貫通孔を係止するとともにシールドフレームの凹部内に収まるようになる。このため、シールド部材をより安定的に保持できる上、凹部から係止爪が抜け出るようにクリップ部材の後端部に所定の押圧力が付与された場合に限り、シールド部材を脱離できるようになる。よって、不測の外力によってシールド部材がズレたり、シールド部材が脱離したりすることを防止できる。
【００１２】
また、前記クリップ部材は、前記軸部材を挟んで前記先端部とは反対側の後端部に押圧部を具備し、前記押圧部を押圧することにより、前記付勢手段による付勢力に抗しつつ前記軸部材を支点として前記クリップ部材を回動させ前記先端部を前記シールドフレームから離間可能に構成されていることが好ましい。これによれば、クリップ部材を閉じるような付勢力に抗するようにクリップ部材の後端部を押圧することで、クリップ部材を回動させて係止爪が形成された先端部を開放できるようになる。
【００１３】
また、前記軸部材から前記クリップ部材の前記先端部の先端までの距離（Ｌ１）より、前記軸部材から前記クリップ部材の前記後端部の後端までの距離（Ｌ２）のほうが短いことが好ましい。これによれば、てこの原理により、クリップ部材の先端部を開放させる回動距離を得るために必要なクリップ部材の後端部への押圧力が、過度に小さくなることを防止できる。このため、不測の外力によってシールド部材がズレたり、シールド部材が脱離したりすることを更に防止できる。
【００１４】
また、前記シールドフレームには、前記クリップ部材を挟むように外側方向に立ち上がる壁部が形成されており、前記軸部材は、前記壁部に軸支されていることが好ましい。これによれば、シールドフレームにクリップ部材を安定的に軸支させることができ、シールド部材の着脱が容易であって装着したシールド部材を安定的に保持できる上、構造的強度の向上が図られた顔面保護具用フレームを提供できる。また、シールド部材として、壁部に対応する位置に所定の切り欠きが形成されたものを用いれば、壁部を切り欠きに沿わせてガイドさせ、更に容易にシールド部材を装着できるようになり、しかも、切り欠きに対して壁部がストッパーとなってシールド部材の回動を規制できるため、シールド部材を極めて安定的に保持できる。
【００１５】
また、前記クリップ部材の後端部に隣接して、前記シールドフレームから前記クリップ部材の前記後端部までの高さ（Ｈ２）よりも大きい高さ（Ｈ１）を有するガード部が設けられていることが好ましい。これによれば、クリップ部材の後端部に不測の外力が付与されることを防止できる。よって、所定の押圧力が意図して付与された場合に限り、シールド部材を脱離でき、シールド部材が不測に外れることを確実に防止できる。
【００１６】
また、前記付勢手段は、前記クリップ部材の後端部から一体的に延設された板バネ部であることが好ましい。これによれば、付勢手段を簡易な構成で容易に実現でき、上記の顔面保護具用フレームを容易に提供できる。
【００１７】
また、前記シールドフレームは前記本体フレームに着脱可能であることが好ましい。これによれば、シールド部材の着脱が容易であって装着したシールド部材を安定的に保持できる上、各フレームの修理交換やメンテナンスが容易となる顔面保護具用フレームを提供できる。
【００１８】
上記課題を解決する本発明の他の態様は、上記の何れかに記載の顔面保護具用フレームと、前記顔面保護具用フレームに着脱可能であり、装着者の顔面の全部又は一部を保護するシールド部材と、を具備することを特徴とする顔面保護具にある。かかる態様によれば、上記の何れかに記載の顔面保護具用フレームを具備するため、シールド部材のみの交換で済み、シールド部材の着脱が容易であって、しかも装着したシールド部材を安定的に保持できる顔面保護具を提供できる。
【００１９】
ここで、前記シールド部材の左右両端側のそれぞれに貫通孔と切り欠きとが設けられており、前記シールド部材を前記顔面保護具用フレームに装着した状態において、前記顔面保護具用フレームのシールドフレームの両端側に設けられた保持部が前記切り欠きに挟み込まれ、前記保持部の先端部に設けられた係止爪によって前記貫通孔が係止されることが好ましい。これによれば、切り欠きに対して保持部がストッパーとなってシールド部材の回動を規制できるため、シールド部材を極めて安定的に保持できる。また、シールド部材を装着する際には、保持部を切り欠きに沿わせてガイドさせ貫通孔と係止爪との位置合わせを行うことができるので、シールド部材の装着が極めて容易になる。
【発明の効果】
【００２０】
本発明の顔面保護具及び顔面保護具用フレームによれば、シールド部材のみの交換で済み、シールド部材の着脱が容易であって、しかも装着したシールド部材を安定的に保持できる。
【図面の簡単な説明】
【００２１】
【図１】本実施形態の顔面保護具の構成例を示す斜視図。
【図２】本実施形態の顔面保護具の各フレームの構成例を示す図。
【図３】本実施形態の顔面保護具に使用可能なシールドの構成例を示す図。
【図４】本実施形態の顔面保護具のシールドフレームの各部材の構成例を示す図。
【図５】本実施形態の顔面保護具の保持部近傍の機能等を示す図。
【図６】比較例の顔面保護具を示す図。
【図７】他の本実施形態の顔面保護具の構成例を説明する図。
【図８】他の本実施形態の顔面保護具の構成例を説明する図。
【発明を実施するための形態】
【００２２】
図１は、本発明の実施形態に係る顔面保護具の構成例を示す斜視図であり、図２（ａ）〜（ｂ）は、図１における各フレームの構成例を示す図である。
【００２３】
図示するように、本実施形態の顔面保護具１は、顔面保護具用フレームと、顔面保護具用フレームに着脱可能であり、装着者の顔面の全部又は一部を保護するシールドＳと、を具備している。このうち顔面保護具用フレームは、頭部に装着される本体フレーム１０と、本体フレーム１０の外側に配置され、感染性飛沫や薬液等から顔面の全体又は一部を保護するシールドＳを保持するシールドフレーム２０と、を具備している。
【００２４】
本体フレーム１０は、前頭部から側頭部に対応した曲状を有する一対のヘッドアーム１１と、ヘッドアーム１１の外側でこれらを連結するブリッジアーム１２と、により構成されている。ヘッドアーム１１及びブリッジアーム１２は、ヘッドアーム１１の対向方向に弾性可能に構成されており、ヘッドアーム１１の間を押し広げてこれを側頭部に支持させ、これらの弾性変形のバランスによって、はめ心地、かつ上下左右方向の安定性よく、顔面保護具１を装着できるようになっている。
【００２５】
ただし、本体フレーム１０の構成は前記の例に限定されず、所定のテンプル部材を耳にかけることで顔面保護具を支持させるメガネ型や、所定のヘッドバンド部材を頭頂部から被せることで顔面保護具を支持させるカチューシャ型のものであってもよい。
【００２６】
本体フレーム１０の左右には、シールドフレーム２０が取り付けられる取り付け部１３がそれぞれ設けられている。取り付け部１３は、例えば本体フレーム１０によって形成される面の片面側で本体フレーム１０に一体に設けられ、所定の係合孔１４が直列に複数（ここでは左右それぞれ３つ）形成された突出片である。上記の係合孔１４の何れかを選択肢し、シールドフレーム２０の両端において対向するように設けられた係合軸２１を軸支させることで、本体フレーム１０に対する距離や角度を調節可能に、シールドフレーム２０を取り付けることができるようになっている。装着者の髪型や毛髪量、眼鏡の有無に関わらず、はめ心地、かつ上下左右方向の安定性よく、顔面保護具１を装着できるようになっている。
【００２７】
特に、本実施形態では、シールドフレーム２０の係合軸２１の根元に突起２１ａが一体的に設けられているとともに、本体フレーム１０の係合孔１４の縁部に、上記の突起２１ａが嵌合可能な嵌合溝１４ａと、シールドフレーム２０の回動方向に嵌合溝１４ａよりも幅広に形成された遊嵌溝１４ｂと、が設けられている。これにより、係合軸２１の突起２１ａが遊嵌溝１４ｂに規制される範囲内で、係合軸２１を支点としてシールドフレーム２０を本体フレーム１０に対して所定の角度θ１で回動させることができる。そして、遊嵌溝１４ｂを越えてシールドフレーム２０を更に回動させることで、係合軸２１の突起２１ａが嵌合溝１４ａに所定の角度θ２で嵌め合わされるようになる、つまり、本体フレーム１０に対する所定の角度θ２でシールドフレーム２０を保持可能となる。
【００２８】
本体フレーム１０及びシールドフレーム２０の接続の態様は、使用時においてシールドＳによって顔面の全部又は一部を覆うことができるよう、本体フレーム１０の外側にシールドフレーム２０を配置させることができる限りにおいて前記の例に限定されない。例えば、上記の例とは逆に、本体フレーム１０に係合軸が設けられ、シールドフレーム２０に係合孔が設けられるようにしてもよい。シールドフレーム２０が本体フレーム１０に着脱可能であれば、各フレームの修理交換やメンテナンスが容易となるが、本体フレーム１０に対してシールドフレーム２０の距離や角度を調節可能とすることは必須でなく、また、各フレームを一体に構成しても構わない。
【００２９】
本体フレーム１０及びシールドフレーム２０を所定の軸部材によって接続する場合、かかる軸部材の応力集中による破損や磨耗防止の観点から、軸部材による軸支部分にシリコーンオイル等の摺動剤を付与するようにしてもよく、軸支部分にワッシャー等の補強部材を設けるようにしてもよい。軸部材と、軸受け部分となる部材と、の構成材料を異ならせるようにすることも可能であり、一例として本実施形態では、シールドフレーム２０の係合軸２１の構成材料として、本体フレーム１０の係合孔１４よりも高弾性を実現できる材料が選択されている。
【００３０】
本体フレーム１０やシールドフレーム２０の構成材料としては、ポリプロピレン、ポリエチレン、塩化ビニル、アクリル系樹脂、ナイロン系樹脂、エポキシ系樹脂、ポリアセタール、ポリカーボネート等を、１種単独又は２種以上を併用して用いることができる。本実施形態ではポリプロピレンが用いられており、これによれば、物理的耐久性や弾性に加え、煮沸消毒やアルコール消毒に耐え得る耐熱性や耐薬品性にも優れた顔面保護具用フレームとなる。
【００３１】
尚、顔面保護具１に使用可能なシールドＳとしては、図３（ａ）〜（ｃ）に示すように、上部両端にそれぞれ、貫通孔Ｏｐｎと、切り欠きＣｏｕｔと、が形成されたものを用いることができる。上記のシールドフレーム２０には、顔面の全体を保護するシールド（図３（ａ））を取り付けることもできるし、それよりも長さの短いシールド、すなわち主に眼球近傍を保護するシールド（図３（ｂ））を取り付けることもできる。
【００３２】
また、シールドＳには、表面に所定の保護シートＥを付しておくようにしてもよい（図３（ｃ））。これによれば、使用前段階においてシールドＳの表面が保護シートＥによって保護されるため、シールドＳの表面に傷がつくことや、空気中のダストによって表面が汚染されることを抑制できる。よって、作業時における作業対象物への良好な視認性を確保でき、保護シートＥの剥離することではじめて露出する面を外側にしてシールドＳを使用すれば、作業対象物に対する低汚染性をも確保できるようになる。しかも、保護シートＥを付しておくことで、シールドＳ同士の張り付きを防止することもできる。
【００３３】
保護シートＥに帯電防止特性を付与するようにすれば、シールドＳからの剥離が容易となり、着色された保護シートを用いるようにすれば、シールドＳに保護シートが付されているか否かの判断が容易となる。更に、保護シートＥの所定位置に剥離シールを付しておき、これを摘まんでシールドＳから保護シートを剥離できるようにすれば、かかる剥離作業がより容易なものとなる。
【００３４】
保護シートＥは、シールドＳの少なくとも一方の面の、全面に設けることもできるし、一部のみに設けることもできる。シールドＳの全面に設けた上で、保護シートＥのみに切れ込みや切断線を付与するようにすれば、所定領域ごとに所定のタイミングで保護シートを剥離することができる。一例として、シールドＳの全面に保護シートＥを設け、シールドＳの貫通孔Ｏｐｎ及び切り欠きＣｏｕｔを含む上部領域と、装着時において顔面を主に保護する下部領域と、の境界に切断線を付与し、上部領域の保護シートのみ、使用前段階である出荷時や保管時に剥離しておくようにすることができる。
【００３５】
このようなシールドＳには、例えば親水基が比較的多い三酢酸セルロ−スを用いて防曇性を付与することができる。すなわち、表面をアルカリ処理によって改質した三酢酸セルロ−スにより、透明性や可撓性のみならず防曇性をも具備したシールドＳとなる。シールドＳの構成材料は前記の例に限定されず、ポリエチレンテレフタラートやポリプロピレン等を用いるようにしてもよい。また、シールドＳの防曇性の更なる向上を図る観点からは、シールドＳの構成材料に防曇処理剤を添加したり、シールドＳの表面に防曇処理剤を塗布したりする等の防曇処理を更に施すことが好ましい。これによれば、通常使用時における使用者の呼吸はもちろん、外部環境の急激な変化に対しても、シールドＳの防曇性を確保できるようになる。
【００３６】
ここで、シールドフレーム２０は、装着者の顔面に沿った曲状を有しており、上記のシールドＳを保持する保持部２２が両端側に設けられている。この保持部２２に関する構成例や機能等について、図４〜５を参照しつつ説明する。図４は、シールドフレームの各部材の構成例を示す図であり、図５は保持部近傍の機能等を示す図であって、図２（ｂ）のＡ−Ａ′線に準ずる断面図等である。
【００３７】
保持部２２は、シールドフレーム２０の延在方向とは交差する方向に設けられた軸部材２３によってシールドフレーム２０の外側に回動自在に支持されたクリップ部材２４と、軸部材２３を支点としてクリップ部材２４の先端部２４ａを閉じるように付勢する付勢手段２５と、を具備している。そして、クリップ部材２４の先端部２４ａにおけるシールドフレーム２０に対向する領域Ｒｋｒｐには、シールドＳに形成された貫通孔Ｏｐｎが係止される係止爪２６が形成されている。
【００３８】
これによれば、クリップ部材２４を閉じるような付勢力に抗することで、軸部材２３を支点としてクリップ部材２４を回動させて係止爪２６をシールドフレームから離間させることができる、いわゆるバインダークリップ機構を実現できる。かかる機構により、シールドＳの着脱が極めて容易になるため、装着に要する手間や時間の短縮を図ることができ、また、クリップ部材２４の後端部２４ｂの押圧によりシールドＳを落下させて手で摘むことなく素早くそのまま廃棄できる。しかも、クリップ部材２４の係止爪２６によってシールドＳに形成された貫通孔Ｏｐｎを係止するので、シールドフレーム２０両端側の計２点であってもシールドＳを安定的に保持できる上、装着したシールドＳに歪みが生じることも防止できる。
【００３９】
本実施形態において、係止爪２６は、のこぎり刃状に形成されている。具体的には、係止爪２６のシールドフレーム２０に対向する面２６ａが、先端部２４ａに向かって高さが漸小するテーパー形状を有するように形成されている。これによれば、シールドＳの装着に際して、クリップ部材２４の先端部２４ａの係止爪２６とシールドフレーム２０との間にシールドＳを滑り込ませることで、クリップ部材２４の後端部２４ｂに押圧力を付与することなく、係止爪２６とシールドフレーム２０との間にシールドＳを挟み込むことができる。そして、挟み込んだシールドＳを適宜移動させて貫通孔Ｏｐｎと係止爪２６との位置を合わせることで、クリップ部材２４を閉じるような付勢力を利用して自動的に貫通孔Ｏｐｎを係止できる。係止爪２６のシールドＳを係止する面はほぼ直角に立ち上がって形成されており、かかる直角面２６ｂによってシールドＳが係止されるようになる。
【００４０】
ただし、係止爪２６の形状は、シールドＳに形成された貫通孔Ｏｐｎを係止できるものであれば限定されない。軸部材２３はクリップ部材２４と一体に形成できるが、別部材として構成し、これらを組み合わせるようにしても構わない。
【００４１】
また、保持部２２では、シールドフレーム２０におけるクリップ部材２４の先端部２４ａに対向する領域Ｒｓｌｄに、上記の係止爪２６が入り込む凹部２７が設けられている。これによれば、シールドＳを装着したとき、先端部２４ａを閉じるように付勢されたクリップ部材２４の係止爪２６が、シールドＳの貫通孔Ｏｐｎを係止するとともにシールドフレーム２０の凹部２７内に収まるようになる。このため、シールドＳをより安定的に保持できる上、クリップ部材２４の後端部２４ｂに所定の押圧力が付与された場合に限り、シールドＳを脱離できるようになる。尚、本実施形態では、クリップ部材２４の後端部２４ｂに、所定の凹凸からなる押圧部２８が形成されており、所定の押圧力を意図して付与する場合においては、その押圧力が確実にクリップ部材２４の後端部２４ｂに付与されるようになっている。
【００４２】
また、保持部２２では、軸部材２３からクリップ部材２４の先端部２４ａの端部までの距離Ｌ１より、軸部材２３からクリップ部材２４の後端部２４ｂの端部までの距離Ｌ２のほうが短くなるように構成されている。これによれば、てこの原理により、クリップ部材２４の先端部２４ａを開放させる回動距離を得るために必要なクリップ部材の後端部２４ｂへの押圧力が、過度に小さくなることを防止できる。
【００４３】
また、保持部２２において、シールドフレーム２０には、クリップ部材２４を挟むように外側方向に立ち上がる壁部２９が形成されており、軸部材２３は、壁部２９に軸支されている。これによれば、シールドフレーム２０にクリップ部材２４を安定的に軸支させることができ、構造的強度の向上が図られた顔面保護具用フレームを提供できる。また、シールドＳとして、壁部２９に対応する位置に所定の切り欠きＣｏｕｔが形成されたものを用いれば、壁部２９を切り欠きＣｏｕｔに沿わせてガイドさせ、更に容易にシールドＳを装着でき、しかも切り欠きＣｏｕｔに対して壁部２９がストッパーとなってシールドＳの不測の回動を規制できるためシールドＳを極めて安定的に保持できる。
【００４４】
また、保持部２２では、クリップ部材２４の後端部２４ｂに隣接して、シールドフレーム２０からクリップ部材２４の後端部２４ｂまでの高さＨ２よりも大きい高さＨ１を有するガード部３０が設けられている。ここでは、クリップ部材２４の後端部２４ｂに隣接するシールドフレーム２０の肉厚を厚く構成し、更に内部に付勢手段２５を収容する空間を設けるようにしてガード部３０を形成した。
【００４５】
このようなガード部３０によれば、クリップ部材２４の外側から不測の外力が加わったとしても、ガード部３０によってクリップ部材２４の後端部２４ｂが押圧されにくくなる。また、クリップ部材２４の後端部２４ｂの幅Ｗ２がガード部３０の幅Ｗ１よりも小さなものとされており、かかる構成によっても、クリップ部材２４の後端部２４ｂに不測の外力が付与されにくくなっている。
【００４６】
上記の付勢手段２５は、クリップ部材２４の後端部２４ｂから一体的に延設された板バネ部であるように構成されている。これによれば、軸部材２３を支点としてクリップ部材２４の先端部２４ａを閉じるように付勢する付勢手段２５を、簡易な構成で容易に実現できる。付勢手段２５は上記の板バネに限定されず、クリップ部材２４とは別部材である巻線バネ等を用いるようにしてもよい。
【００４７】
これらのように、本実施形態では、クリップ部材２４の後端部２４ｂに不測の外力が付与されにくくなることで、所定の押圧力が意図して付与された場合に限り、シールドＳを取り外すことができる。そして、クリップ部材２４の係止爪２６によってシールドＳに形成された貫通孔Ｏｐｎを係止するので、シールドＳを取り付けた場合においてシールドＳを安定的に保持できる上、取り付けたシールドＳに歪みが生じることも防止できる。特に、シールドフレーム２０の長さ方向中央に幅広部３１が形成されており、この幅広面をシールドＳに接触させて、シールドＳを更に安定的に保持できるようになっている。尚、幅広部３１の位置、大きさ及び範囲等は限定されない。
【００４８】
以上説明した顔面保護具１へのシールドＳの着脱動作は以下の通りである。すなわち、クリップ部材２４の先端部２４ａの係止爪２６とシールドフレーム２０との間にシールドＳを滑り込ませ、クリップ部材２４を閉じるような付勢力に抗してシールドＳを挟み込ませる。クリップ部材２４の後端部２４ｂとシールドフレーム２０との間には、後端部２４ｂの回動可能な領域を確保する第１空間Ｒ１が設けられており、滑り込ませたシールドＳによって、先端部２４ａを持ち上げて軸部材２３を支点として第１空間Ｒ１内に後端部２４ｂを回動させることが可能となっている。
【００４９】
第１空間Ｒ１に隣接して、付勢手段２５の可動領域となる第２空間Ｒ２が設けられている。付勢手段２５の第２空間Ｒ２内の撓み変形によって、クリップ部材２４を閉じるような付勢力が生じ、シールドＳが挟み込まれた状態においても、かかる付勢力が継続的に付与される。ここでは、ガード部３０の内部に形成される空間が、第２空間Ｒ２として機能するようになっている。第２空間Ｒ２のシールドフレーム２０側（顔面保護具１の装着時における頭部側）の面は開口しており、付勢手段２５の可動領域が十分に確保されている。尚、第２空間Ｒ２の第１空間Ｒ１とは反対側に隣接して、シールドフレーム２０の外側に開口する第３空間Ｒ３が設けられており、この第３空間Ｒ３を区画するシールドフレーム２０の縁部に、上記の付勢手段２５の後端が係止されている。
【００５０】
次いで、クリップ部材２４の先端部２４ａの係止爪２６とシールドフレーム２０との間にシールドＳを滑り込また状態で、係止爪２６に対して貫通孔Ｏｐｎを臨ませるようにシールドＳを位置させる。このとき、シールドＳとして、壁部２９に対応する位置に所定の切り欠きＣｏｕｔが形成されたものを用いれば、壁部２９を切り欠きＣｏｕｔに沿わせてガイドさせ、容易にシールドＳを所定の位置まで移動させることができる。貫通孔Ｏｐｎと係止爪２６との位置を合わせることで、クリップ部材２４を閉じるような付勢力を利用して自動的に貫通孔Ｏｐｎが係止されることとなる。
【００５１】
シールドＳを係止した係止爪２６は、シールドフレーム２０の凹部２７に収まるように付勢されており、シールドフレーム２０両端側の計２点であっても、シールドＳが安定的に保持されるようになり、取り付けたシールドＳに歪みが生じることも防止される。シールドフレーム２０の軸部材２３を支点として、本体フレーム１０に対する角度調節も可能である。
【００５２】
そして、顔面保護具１の使用後は、クリップ部材２４の後端部２４ｂの押圧によりシールドＳを落下させて手で摘むことなく素早くそのまま廃棄できる。すなわち、装着者が頭部から取り外した顔面保護具１を廃棄物処理箱の上に位置させて、その状態でクリップ部材２４の後端部２４ｂを押圧すれば、シールドＳをそのまま廃棄物処理箱に落下させて処分することができる。
【００５３】
以上説明した本実施形態の顔面保護具１や顔面保護具用フレームは、様々な分野において使用することができる。特に、医療や介護の分野で使用される場合には緊急性を要する状況も想定されるが、かかる状況下においても、シールドＳをシールドフレーム２０に簡単な操作で素早くかつ正しい位置に装着できる。そして、処置中に他の作業者や機器との接触でシールドＳがズレたり、脱離したりすることは重大な医療事故につながる恐れがあり回避されるべきである、という要求や、処置作業を終えた後のシールドＳは血液や体液などの感染源が付着している恐れがあるため素早くかつ簡便に取り外して処分するのが望ましい、という要求にも応えることができる。
【実施例】
【００５４】
以下、実施例に基づいて本発明を具体的に説明するが、本発明はこれら実施例に限定されるものではない。
【００５５】
（実施例１）
上記の顔面保護具１を構成した。シールドとしては、上部両端にそれぞれ貫通孔Ｏｐｎが形成されているものを用いた。尚、上記の切り欠きＣｏｕｔが形成されたシールドＳを用いれば、保持部２２を切り欠きＣｏｕｔに沿わせてガイドさせながらシールドＳを装着することが可能となるが、シールドＳにおいて切り欠きＣｏｕｔは必須ではないため、ここでは切り欠きＣｏｕｔが省略されたシールドを用いて評価するようにした。
【００５６】
（比較例１〜４）
保持部の構成等を実施例１とは異ならせて、比較例１〜４の顔面保護具を構成した。このうち、比較例１では、ヒンジ接続された一対の雄部及び雌部をシールドフレームの両側（実施例１の保持部２２に対応する位置）に形成し、貫通孔Ｏｐｎを通して雄部を雌部に押し込んでシールドＳを装着し、雌部から雄部を引き抜いてシールドＳを脱離させる構成を採用した（図６（ａ））。
【００５７】
比較例２では、シールドフレームの両側（実施例１の保持部２２に対応する位置）に手かぎ状のフックを形成し、これに貫通孔Ｏｐｎを引っ掛けてシールドＳを引き伸ばしつつ装着し、フックの引っ掛かりを解除してシールドＳを脱離させる構成を採用した（図６（ｂ））。
【００５８】
比較例３では、シールドフレームの両側（実施例１の保持部２２に対応する位置）に、先端に大径部を有するピンを形成するとともに、貫通孔Ｏｐｎの縁に複数の切り込みを形成し、縁を折り曲げて貫通孔Ｏｐｎをピンに押し通すことでシールドＳを装着し、縁が折り曲がるようにピンから貫通孔Ｏｐｎを外すことでシールドＳを脱離させる構成を採用した（図６（ｃ））。
【００５９】
比較例４では、シールドフレームの両側（実施例１の保持部２２に対応する位置）に、シールドフレーム側に付勢された押さえ板部を形成するとともに、押さえ板部の近傍に、シールドに当接する面側に突出する突出部を形成した。そして、シールドとして、上記の突出部に挿入される孔が形成されたものを用いた。つまり、比較例４では、孔に突出部を挿入するとともにシールドフレーム及び押さえ板部の間に挿入することでシールドＳを装着し、突出部やシールドフレーム及び押さえ板部の間から引き抜いてシールドＳを脱離させる構成を採用した（図６（ｄ））。
【００６０】
（官能試験１）
２０代〜５０代の男女の計１０名を対象に、シールドの取り付け方法に関して、シールドの取付けやすさ、取付け後の安定感、取り外しやすさを３段階で評価する官能試験を実施した。試験の結果は、使用に適さないと判断する場合には「×」、使用に適すると判断する場合には「○」、格段に優れていると判断する場合には「◎」と評価した。結果を表１に示す。
【００６１】
【表１】
2015205105.tif 000003
【００６２】
官能試験１の結果、実施例１は、３項目すべてにおいて、格段に優れている評価となり、他の構成より優れた構造であることが確かめられた。
【００６３】
（官能試験２）
２０代〜５０代の男女の計１０名を対象に、実施例１と比較例１（ヒンジ式）とのシールド取付け時間と取り外し時間とを測定した。結果を表２に示す。
【００６４】
【表２】
2015205105.tif 000004
【００６５】
官能試験２の結果、実施例１は比較例１の約半分の時間でシールドの取付けが可能で、約３分の１の時間でシールドの取り外しができることが確かめられた。
【００６６】
（他の実施形態）
以上、本発明の一実施形態を説明したが、本発明の基本的構成は上記のものに限定されるものではない。例えば、本発明は、上記の実施形態で述べたような医療や介護の分野において使用される顔面保護具に限定されず、染性飛沫や薬液等から顔面の全体又は一部を保護するための顔面保護具を対象としたものであり、他の分野においても勿論適用することができる。例えば、本発明は、化学分野、船舶・海洋分野、航空・宇宙分野、繊維分野、金属分野、資源工学分野、建設分野、上下水道分野、衛生工学分野、農業分野、森林分野、水産分野、環境分野、原子力・放射線分野等にも適用可能である。
【００６７】
また、上記の実施形態では、シールドＳとして可撓性を有する透明樹脂材料を用いて構成したが、これに調光材料や光吸収材料等を配合するようにしてもよい。
【００６８】
また、シールドフレーム２０におけるシールドＳを保持するための構成は、前記のクリップ部材２４を用いた構成に限定されない。保持部２２が、シールドフレーム２０に対向する領域に設けられ、シールドＳに形成された貫通孔Ｏｐｎが係止される係止爪２６と、シールドＳの貫通孔Ｏｐｎの係止時において係止爪２６をシールドフレーム２０側に付勢する付勢手段２５と、を具備していればよい。
【００６９】
例えば、図７（ａ）〜（ｃ）に示すように、シールドフレーム２０から立ち上がるとともにシールドフレーム２０の延在方向に沿って一体に延設され、押圧に応じて先端部４０ａに形成された係止爪２６がシールドフレーム２０に接離可能である延設部材４０と、延設部材４０よりも後端側に設けられ延設部材４０の背面に当接してスライド可能なスライド部材４１と、を具備するスライド式を採用してもよい。かかるスライド式の場合、シールドフレーム２０から係止爪２６が離間している延設部材４０を、スライド部材４１のスライドによって背面側から押すように付勢することで、係止爪２６がシールドフレーム２０の凹部２７内に収まるようになる（図７（ａ））。スライド部材４１によって背面側からシールドフレーム２０側に延設部材４０が押し付けられ、これにより係止爪２６にシールドＳの貫通孔Ｏｐｎを係止させることができ（図７（ｂ））、逆方向にスライドさせることで係止爪２６の係止が解除され、係止爪２６がシールドフレーム２０から離間し、シールドＳが取り外される（図７（ｃ））。
【００７０】
また、シールドフレーム２０の前記の例に限定されない。例えば、図８（ａ）に示すように、中央部分が除かれた別体型のシールドフレーム２０Ａ、２０Ｂとしてもよい。これによれば、各部材ごとの修理・交換・メンテナンス等が可能になる。また、図８（ｂ）に示すように、本体フレーム１０及びシールドフレーム２０を一体的に固定するようにしてもよい。
【産業上の利用可能性】
【００７１】
本発明は、顔面保護具に関し、特に、感染性飛沫や薬液等から顔面の全体又は一部を保護するための顔面保護具の分野で好適に利用できる。
【符号の説明】
【００７２】
１            顔面保護具
１０          本体フレーム
１１          ヘッドアーム
１２          ブリッジアーム
１３          取り付け部
１４          係合孔
１４ａ        嵌合溝
１４ｂ        遊嵌溝
２０，２０Ａ，２０Ｂ        シールドフレーム
２１          係合軸
２１ａ        突起
２２          保持部
２３          軸部材
２４          クリップ部材
２４ａ        先端部
２４ｂ        後端部
２５          付勢手段
２６          係止爪
２６ａ        面
２６ｂ        面
２７          凹部
２８          押圧部
２９          壁部
３０          ガード部材
３１          幅広部
４０          延設部材
４１          スライド部材
【図１】
2015205105.tif 000005
【図２】
2015205105.tif 000006
【図３】
2015205105.tif 000007
【図４】
2015205105.tif 000008
【図５】
2015205105.tif 000009
【図７】
2015205105.tif 000010
【図８】
2015205105.tif 000011
【図６】
2015205105.tif 000012